(57)【要約】      （修正有）【課題】  マニュアルを編集する際に、特定の個所を保護するための技術を提供する。【解決手段】  編集装置は、マニュアル雛形の保護情報が付加されたセクションについて、保護されている旨を表示する保護情報表示手段と、マニュアル雛形の保護情報が付加されたセクションについて、編集理由および編集指示を受け付けた場合に、セクションの編集を許可する許可手段と、編集を許可したセクションに、保護解除情報を付加する保護解除情報付加手段とを備え、編集確認装置は、編集装置が編集したマニュアルについて、保護解除情報が付加されたセクションを指示受付可能な状態で示す保護解除セクション表示手段と、指示を受け付けた保護解除情報が付加されたセクションの内容を、マニュアル雛形の対応するセクションとともに表示する比較表示手段とを備える。【選択図】図３
2006251966.tif 000002
【特許請求の範囲】
【請求項１】
セクション単位で構成されたベーステキストから選択されたセクションを抽出してマニュアル雛形を出力するマニュアル作成管理装置と、前記マニュアル雛形を編集する編集装置と、編集された内容を確認する編集内容確認装置とを備えるマニュアル作成システムであって、
前記マニュアル作成管理装置は、
選択されたセクションについて、保護の指定を受け付ける保護受け付け手段と、
保護の指定を受け付けたセクションに、保護情報を付加する保護情報付加手段とを備え、
前記編集装置は、
前記マニュアル雛形の保護情報が付加されたセクションについて、保護されている旨を表示する保護情報表示手段と、
前記マニュアル雛形の保護情報が付加されたセクションについて、編集理由および編集指示を受け付けた場合に、前記セクションの編集を許可する許可手段と、
前記編集を許可したセクションに、保護解除情報を付加する保護解除情報付加手段とを備え、
前記編集確認装置は、
前記編集装置が編集したマニュアルについて、前記保護解除情報が付加されたセクションを指示受付可能な状態で示す保護解除セクション表示手段と、
前記指示を受け付けた前記保護解除情報が付加されたセクションの内容を、前記マニュアル雛形の対応するセクションとともに表示する比較表示手段とを備えることを特徴とするマニュアル作成システム。
【請求項２】
請求項１に記載のマニュアル作成システムであって、
前記編集確認装置は、
前記保護解除情報が付加されたセクションに対しての編集を受理するか否かの指示を受け付ける編集受理確認手段をさらに備えることを特徴とするマニュアル作成システム。
【請求項３】
請求項２に記載のマニュアル作成システムであって、
前記編集確認装置の編集受理確認手段は、
前記編集を受理しない指示を受け付けると、前記保護解除情報が付加されたセクションの内容を前記マニュアル雛形の対応するセクションの内容に差し替えることを特徴とするマニュアル作成システム。
【発明の詳細な説明】
【技術分野】
【０００１】
本発明は、工業製品のマニュアル作成処理に係り、特に、作成過程におけるマニュアルを編集する際のコンテンツ保護技術に関する。
【背景技術】
【０００２】
工業製品、例えば、印刷装置を製造するメーカでは、同種の装置について価格、機能、対象等の異なる複数のモデルを販売している。そして、各モデルは、ある程度の期間販売されると、新機能の追加、仕様の変更等によるモデルチェンジが行なわれる。
【０００３】
例えば、図１３に示すように、モデルＡとモデルＢとモデルＣの系統があったとする。このような場合において、モデルＡの系統は、モデルＡ１→モデルＡ２→モデルＡ３のようにモデルチェンジを行ない、モデルＢの系統では、モデルＢ１→モデルＢ２のようにモデルチェンジを行ない、モデルＣの系統では、新機種としてＣ１が登場するという具合である。
【０００４】
メーカでは、新しいモデルが登場する際には、その装置に対応したマニュアルを作成する必要がある。
【０００５】
従来、マニュアルの作成は、例えば、モデルＡ１がモデルＡ２にモデルチェンジする際に、モデルＡ１のマニュアルを基にして、モデルＡ２で追加された機能の説明を追加したり、変更された仕様に対応した説明に修正することで行なわれてきた。これは、一般に、モデルチェンジの際には、モデルチェンジ前の機能を引き継ぐ個所が多く、マニュアルの記述を流用することでマニュアル作成のための手間、コスト等を削減することができるからである。
【発明の開示】
【発明が解決しようとする課題】
【０００６】
上述のように、新たなマニュアルを作成する際には、すでにあるマニュアルを編集することにより作成されるが、一般に、この編集作業は、マニュアル管理業務とは独立に行なわれ、また、外注等により、メーカ以外の者が行なう場合もある。
【０００７】
このような場合に、編集元となるマニュアルに編集を施されたくない個所が含まれることがある。例えば、マニュアル管理上すべてのマニュアルで共通の内容としたい個所、既に内容が確定している個所等である。
【０００８】
しかし、上述のようにマニュアル管理担当者と実際の編集担当者とは異なることが多いため、マニュアル管理担当者の意図が編集担当者に十分伝わらないおそれがある。
【０００９】
本発明は、マニュアルを編集する際に、特定の個所を保護するための技術を提供することを目的とする。
【課題を解決するための手段】
【００１０】
上記課題を解決するため、本発明によれば、
セクション単位で構成されたベーステキストから選択されたセクションを抽出してマニュアル雛形を出力するマニュアル作成管理装置と、前記マニュアル雛形を編集する編集装置と、編集された内容を確認する編集内容確認装置とを備えるマニュアル作成システムであって、
前記マニュアル作成管理装置は、
選択されたセクションについて、保護の指定を受け付ける保護受け付け手段と、
保護の指定を受け付けたセクションに、保護情報を付加する保護情報付加手段とを備え、
前記編集装置は、
前記マニュアル雛形の保護情報が付加されたセクションについて、保護されている旨を表示する保護情報表示手段と、
前記マニュアル雛形の保護情報が付加されたセクションについて、編集理由および編集指示を受け付けた場合に、前記セクションの編集を許可する許可手段と、
前記編集を許可したセクションに、保護解除情報を付加する保護解除情報付加手段とを備え、
前記編集確認装置は、
前記編集装置が編集したマニュアルについて、前記保護解除情報が付加されたセクションを指示受付可能な状態で示す保護解除セクション表示手段と、
前記指示を受け付けた前記保護解除情報が付加されたセクションの内容を、前記マニュアル雛形の対応するセクションとともに表示する比較表示手段とを備えることを特徴とするマニュアル作成システムが提供される。
保護したい個所については編集理由を入力しなければ編集を行なうことができなくなるため、マニュアルを編集する際に、特定の個所を保護することができる。
ここで、前記編集装置は、前記保護解除情報が付加されたセクションに対しての編集を受理するか否かの指示を受け付ける編集受理確認手段をさらに備えることができる。
【００１１】
本発明のマニュアル作成システムは、保護情報を付加されたセクションについては、編集理由および編集指示を受け付けた場合に、編集を行なうことができるため、保護すべきセクションについての無用な編集を防止することができる。
【発明を実施するための最良の形態】
【００１２】
本発明の実施の形態について図面を参照して説明する。
【００１３】
まず、本実施形態のマニュアル作成の基本的な概念について図１を参照して説明する。
【００１４】
本図に示すように、本実施形態では、既存モデルのマニュアルの各部を包含する文書を用意する。この文章を「ベーステキスト」と称するものとする。
【００１５】
すなわち、例えば、既存モデルとしてモデルＡとモデルＢとがあった場合に、それぞれのマニュアルの各部を合成し、重複する部分および相互に関連する部分を整理したものがベーステキストになる。
【００１６】
そして、本実施形態では、このベーステキストを基に新たなモデルに対応したマニュアルを作成するようにする。具体的には、ベーステキストから新たなモデルのマニュアルとして利用できる部分を抽出して雛形とし、その雛形を新たなモデルに対応するように編集することでマニュアルが作成される。
【００１７】
本図の例は、ベーステキスト１００から、新たなモデルであるモデルＡ３およびモデルＢ２のマニュアルを作成する場合を示している。
【００１８】
本図に示すようにベーステキスト１００は、複数の部分から構成されている。この部分を「セクション」と称するものとする。セクション１１０は、あるテーマについての説明のまとまりを示す単位である。マニュアルの雛形を作成する際のベーステキスト１００からの部分の抽出は、セクション１１０単位で行なわれる。
【００１９】
本実施形態のマニュアル作成では、対象となるモデルの設計仕様に基づいて、ベーステキストから対応するセクション１１０を抽出して、マニュアル雛形１２０を作成する。本図の例では、ベーステキストから、セクション「１−０」「１−１」「２−１」「３−２」が…が抽出されてモデルＡ３用のマニュアル雛形が作成され、「１−１」「２−０」「２−３」「３−２」…が抽出されてモデルＢ２用のマニュアル雛形１２０が作成されている。
【００２０】
そして、作成されたマニュアル雛形１２０を対象となるモデルの設計仕様に基づいて編集することで対象となるモデルに対応した編集後マニュアル１４０が作成される。ここで編集は、対象となるモデルで新たに追加された機能、変更された機能等に対応するための作業である。
【００２１】
例えば、モデルＡ３では、ベーステキスト１００のセクション「２−１」で説明されている機能に一部変更があったため、セクション「２−１」の本文を修正する編集が行なわれている。また、モデルＢ２では、新たな機能が追加されているため、マニュアルに新たなセクションを追加する編集が行なわれている。
【００２２】
なお、編集後マニュアル１４０は、その後、編集内容がチェックされ、内容が確定した段階でレビジョン確定マニュアル１６０として扱われる。また、編集により変更・追加されたセクション１１０は、ベーステキスト１００に登録して、後のモデルのマニュアル作成時に利用できるようにしてもよい。
【００２３】
このように異なるモデルのマニュアルをベーステキスト１００を用いて統一的に取り扱うことにより、本実施形態のマニュアル作成では、以下のような効果を得ることができる。
【００２４】
すなわち、マニュアルを各モデル毎に作成することによる表現のバラツキ等を防ぐことができる。また、マニュアルのメンテナンスも効率的に行なうことができる。
【００２５】
さらに、製品が複数の国で販売される場合には、レビジョンが確定したマニュアルを、それぞれの国の言語に翻訳する必要があるが、表現のバラツキを防ぐことにより、レビジョン確定マニュアル１６０を頒布先の言語に翻訳する際の流用個所が増え、翻訳コストを下げることができる。
【００２６】
なぜならば、マニュアルの翻訳はすでに翻訳されている他のモデルのマニュアルとの差分個所を抽出し、抽出された差分個所を翻訳する処理が一般的であり、内容が同じでも表現が異なる場合には翻訳が行なわれるようにしているため、差分個所が少ないほど翻訳すべき個所を少なくすることができるからである。
【００２７】
図２は、ベーステキスト１００の構成の一例を示す図である。ベーステキスト１００は、例えば、ＸＭＬ（eXtensible Markup Language）等の文書記述言語を用いて構成することができる。
【００２８】
ベーステキスト１００は、例えば、インクジェットプリンタ、レーザプリンタ、スキャナ等の対象装置毎に作成するようにし、それぞれ、ベーステキストＩＤで識別できるようにしている。
【００２９】
ベーステキスト１００を構成するセクション１１０は、それぞれ、セクションＩＤ、テーマＩＤ、属性、タイトル、本文を備えて構成される。これらは、例えば、タグ情報により区別することができる。なお、セクション１１０は、「章」「節」「項」のように階層構造とすることができる。図２の例では２階層としている。ただし、階層構造は、便宜的なものであり、ベーステキスト１００および実際に作成される各モデル対応の編集後マニュアル１４０がどのような構造を採用するかは任意である。
【００３０】
セクションＩＤは、それぞれのセクションを識別するための識別子である。本実施形態では、Ｘ−Ｙで表わし、Ｘの部分が上位階層を示し、Ｙの部分が下位階層を示すようにしている。なお、Ｘ−０は、Ｘ−１、２…の上位概念を説明するセクションとしている。ただし、階層の表現方法は、これに限られず、例えば、属性部分に記録したり、セクションＩＤの枝番等で示すようにしてもよい。
【００３１】
テーマＩＤは、そのセクションでの説明対象を示すコードである。例えば、そのセクションが、インクカートリッジの交換方法を説明するものである場合には、インクカートリッジの交換方法に割り当てられたコードがそのセクションのテーマＩＤとなる。なお、同じテーマであっても、異なるモデルでは異なる説明が必要になる場合もある。このような場合には、それぞれのモデル対応に異なるセクションＩＤのセクションが作成され、共通のテーマＩＤが付されることになる。
【００３２】
属性は、そのセクションのキーワード、保護情報、作成者情報等種々の情報が記録される。属性に記録される具体的な情報については、その都度説明するものとする。
【００３３】
タイトルは、そのセクションのタイトルが記録される。
【００３４】
本文は、説明の本体であり、文章、図面等のコンテンツから構成される。本文のコンテンツそれぞれにコンテンツＩＤを付して、各コンテンツを識別するようにしてもよい。
【００３５】
次に、本実施形態におけるマニュアル作成システムの構成の概要について図３のブロック図を参照して説明する。本図に示すように、マニュアル作成システムは、マニュアル作成管理装置１０と編集装置２０と編集内容確認装置３０とを含んで構成される。
【００３６】
マニュアル作成管理装置１０は、ベーステキスト１００を入力し、マニュアル作成対象のモデルの設計仕様書２００に基づいて、必要なセクションを抽出し、マニュアル雛形１２０を出力する。
【００３７】
編集装置２０は、マニュアル雛形１２０に対して、マニュアル作成対象のモデルの設計仕様書２００に基づく編集を行なうための装置である。
【００３８】
編集内容確認装置３０は、マニュアル雛形１２０と編集後マニュアル１４０とを入力し、編集装置２０によりどの部分がどのように編集されたかを確認するための装置である。編集内容が確認された編集後マニュアル１４０は、レビジョン確定マニュアル１６０として取り扱われる。
【００３９】
これらの各装置は、それぞれを独立させて複数の情報処理装置で構成するようにしてもよいし、いくつかの装置、例えば、マニュアル作成管理装置１０と編集内容確認装置３０とを組み合わせて、単一の情報処理装置で実現するようにしてもよい。
【００４０】
図４は、マニュアル作成管理装置１０の機能構成を説明するためのブロック図である。本図に示すようにマニュアル作成管理装置１０は、ベーステキスト１００を入力するベーステキスト入力部１１、ユーザからの操作を受け付けたり、ユーザに各種情報を提示するユーザインタフェース部１２、ベーステキスト１００から必要なセクション１１０を抽出する処理を行なうセクション抽出部１３、後述するセクションのロック処理を行なうロック処理部１４、抽出されたセクションで構成されるマニュアル雛形１２０を出力するマニュアル雛形出力部１５を備えている。
【００４１】
なお、マニュアル作成管理装置１０は、パーソナルコンピュータ等の汎用的なコンピュータを用いて構成することができる。
【００４２】
図５は、編集装置２０の機能構成を説明するためのブロック図である。本図に示すように編集装置２０は、マニュアル雛形１２０を入力するマニュアル雛形入力部２１、ユーザからの操作を受け付けたり、ユーザに各種情報を提示するユーザインタフェース部２２、操作者からの指示にしたがってマニュアル雛形１２０の編集処理を行なう編集処理部２３、編集が施されたマニュアル雛形１２０を編集後マニュアル１４０として出力する編集後マニュアル出力部２４とを備えている。
【００４３】
なお、編集装置２０は、パーソナルコンピュータ等の汎用的なコンピュータを用いて構成することができる。
【００４４】
図６は、編集内容確認装置３０の機能構成を説明するためのブロック図である。本図に示すように編集内容確認装置３０は、マニュアル雛形１２０を入力するマニュアル雛形入力部３１、編集後マニュアル１４０を入力する編集後マニュアル入力部３２、ユーザからの操作を受け付けたり、ユーザに各種情報を提示するユーザインタフェース部３３、マニュアル雛形１２０と編集後マニュアル１４０とから編集内容を判別し、操作者からの確認を受け付ける確認処理部３４、編集の確認を受け付けた編集後マニュアル１４０をレビジョン確定マニュアル１６０として出力するレビジョン確定マニュアル出力部３５を備えている。
【００４５】
なお、編集内容確認装置３０は、パーソナルコンピュータ等の汎用的なコンピュータを用いて構成することができる。
【００４６】
次に、本実施形態におけるマニュアル作成システムの処理について説明する。
【００４７】
まず、マニュアル作成管理装置１０がベーステキスト１００から必要なセクションを抽出し、マニュアル雛形１２０を生成する処理を図７のフロー図を参照して説明する。
【００４８】
マニュアル作成管理装置１０は、マニュアル作成対象のモデルが属する機種用に作成されたベーステキスト１００を入力する（Ｓ１０１）。例えば、マニュアル作成対象のモデルがインクジェットプリンタに属する場合には、インクジェット用に作成されたベーステキスト１００を用いるようにする。
【００４９】
マニュアル作成管理装置１０は、入力されたベーステキスト１００のセクション階層構造したがって、各セクションのタイトルを一覧表示する（Ｓ１０２）。
【００５０】
図１０は、セクションタイトルを一覧表示したセクション選択画面５００の一例を示す図である。本図に示すようにセクション選択画面５００には、階層構造で示されたセクションタイトルに対応してチェックボックス５０２が配置されており、操作者からセクションの選択を受け付けることができるようになっている（Ｓ１０３）。
【００５１】
マニュアル作成管理装置１０の操作者は、作成対象となるモデルの設計仕様書２００にしたがって、マニュアルに含めるべきセクションに対応するチェックボックス５０２にチェックを入力することができる。
【００５２】
マニュアル作成管理装置１０は、セクション選択画面５００に配置されている「セクション選択ボタン」５０１のクリックを受け付けると、チェックボックス５０２にチェックされているセクションを抽出すべきセクションとして確定し（Ｓ１０４）、図１０に示すようなロック設定画面５２０を表示する。
【００５３】
ロック設定画面５２０では、抽出されたセクションに対応してチェックボックス５２２が配置されており、操作者からセクションのロック指定を受け付けることができるようになっている（Ｓ１０５）。
【００５４】
マニュアル作成管理装置１０の操作者は、作成対象となるモデルに対応するためにマニュアル雛形１２０を編集する際に、編集担当者に編集を施されたくないセクションに対応するチェックボックス５２２にチェックを入力することができる。編集担当者に編集を施されたくないセクションは、例えば、すでに内容が確定していたり、他のマニュアルとの統一性を保つために変更することが望ましくないセクション等が該当する。
【００５５】
マニュアル作成管理装置１０は、ロック設定画面５２０に配置されている「マニュアル雛形出力ボタン」５２１のクリックを受け付けると、セクション選択画面５００で選択されたセクションで構成されたマニュアル雛形１２０を出力する（Ｓ１０６）。このとき、ロック設定画面５２０でロックが設定されたセクションについては、属性にロック設定がされている旨を記録しておく。
【００５６】
つぎに、編集装置２０が、マニュアル雛形１２０の編集を受け付ける処理を図８のフロー図を参照して説明する。
【００５７】
編集装置２０は、編集対象のマニュアル雛形１２０を入力する（Ｓ２０１）。
【００５８】
そして、編集装置２０は、マニュアル雛形１２０に含まれる各セクションの本文を表示する（Ｓ２０２）。表示するセクションは編集担当者の操作により任意に変更できるものとする。図１１は、セクションの本文を表示する編集画面５４０の一例を示す図である。
【００５９】
編集担当者は、編集画面５４０に表示されている本文について、編集しようとする個所をマウス等の操作に基づくカーソル５４１で指示することができる。
【００６０】
編集装置２０は、カーソル５４１の位置を取得して、その位置に対応して表示されているセクションを特定する（Ｓ２０３）。
【００６１】
そして、特定されたセクションに記録されている属性を参照して、そのセクションにロック設定がさているかどうかを判断する（Ｓ２０４）。
【００６２】
その結果、ロックが設定されていない場合（Ｓ２０４：Ｎ）には、そのセクションの編集を受け付け可能とする（Ｓ２０５）。したがって、編集担当者は、作成対象となっているモデルの設計仕様に基づいてマニュアル雛形１２０のセクションの本文を任意に修正することができる。
【００６３】
一方、ロックが設定されている場合（Ｓ２０５：Ｙ）には、そのセクションが編集不可であることを表示する（Ｓ２０６）。編集不可であることの表示は、例えば、図１１に示すようなロック情報表示画面５５０内に「ロックセクション」５５１を示すことで行なうことができる。このとき、編集装置２０は、そのセクションに対する編集操作を受け付けないようにする。
【００６４】
編集担当者は、ロックされたセクションについて原則的に編集することができないが、何らかの理由で編集しようとする場合も生じ得る。このような場合を考慮して、ロック情報表示画面５５０には、ロックを解除するための「アンロックボタン」５５２が設けられている。ただし、ロックを解除するためには、ロック情報表示画面５５０に配置されている「編集理由入力欄」５５３に編集理由を入力した上で、「アンロックボタン」５５２をクリックしなければならない。
【００６５】
すなわち、編集装置２０は、ロックが設定されているセクションについて編集担当者からアンロックの指示がない場合（Ｓ２０７：Ｎ）は、原則通りそのセクションを編集不可とする（Ｓ２０８）。また、アンロックの指示を受け付けた場合（Ｓ２０８：Ｙ）であっても、編集理由が入力されていない場合（Ｓ２０９：Ｎ）にも同様に編集不可とする（Ｓ２０８）。なお、通常時には「アンロックボタン」５５２を無効にしておき、「編集理由入力欄」５５３に編集理由が入力されると「アンロックボタン」５５２を有効にして、アンロックの指示を受け付け可能とするようにしてもよい。
【００６６】
一方、「修正理由入力欄」５５３に修正理由が入力され（Ｓ２０９：Ｙ）、アンロックの指示を受け付けた場合（Ｓ２０８：Ｙ）には、ロックが設定されているセクションの編集を可能とする（Ｓ２１０）。この際に、そのセクションの属性にアンロックされた旨および編集担当者が入力した修正理由を記録する。
【００６７】
上述の処理（Ｓ２０３）以降の処理、を編集担当者から編集終了の指示を受け付けるまで（Ｓ２１１：Ｙ）繰り返し、編集終了後に編集が施されたマニュアル雛形１２０を編集後マニュアル１４０として出力する（Ｓ２１２）。
【００６８】
つぎに、編集内容確認装置３０が、編集装置２０により編集された個所の確認を受け付ける処理を図９のフロー図を参照して説明する。
【００６９】
編集内容確認装置３０は、編集後マニュアル１４０を入力する（Ｓ３０１）。また、マニュアル雛形１２０を入力する（Ｓ３０２）。
【００７０】
編集内容確認装置３０は、入力された編集後マニュアル１４０のセクション階層構造したがって、各セクションのタイトルを一覧表示する。このとき、マニュアル雛形１２０作成時にロックが設定されていたが編集処理でアンロックされたセクションがあった場合には、そのセクションに対応して「アンロックボタン」を表示する（Ｓ３０１）。
【００７１】
図１２は、編集後マニュアル１４０のセクション階層構造にしたがってセクションタイトルを表示するとともに、アンロックされたセクションに対応した「アンロックボタン」５６１を表示している編集後一覧画面５６０の一例を示している。
【００７２】
編集後一覧画面５６０で「アンロックボタン」５６１のクリックを受け付けると編集内容確認装置３０は、図１２に一例を示すような編集内容確認画面５７０を表示する（Ｓ３０３）。
【００７３】
編集内容確認画面５７０には、編集後マニュアル１４０のアンロックされたセクション本文を表示する欄５７２と、対応する編集前のセクション本文を表示する欄５７１と、編集理由を表示する欄５７３とが設けられている。
【００７４】
編集内容確認装置３０は、入力した編集後マニュアル１４０のアンロックされたセクションおよびマニュアル雛形１２０の対応するセクションを参照して、上記の各欄の表示を行なう。これにより、編集確認担当者は、アンロックされたセクションの編集前、編集後の本文の比較を容易に行なうことができる。
【００７５】
編集確認担当者は、表示されている編集理由および編集内容を確認して、その編集を受け入れるかどうかを判断する。そして、受け入れる場合には、編集内容確認画面５７０に配置されている「受理確認ボタン」５７４をクリックし、受け入れない場合には「不受理ボタン」５７５をクリックする。
【００７６】
編集内容確認装置３０は、「受理確認ボタン」５７４のクリックを受け付けた場合には、アンロックされたセクションについての編集内容を確定する。一方、「不受理ボタン」５７５のクリックを受け付けた場合は、その編集内容を破棄し、編集前のセクション、すなわちマニュアル雛形１２０の対応するセクションの内容に差し替える（Ｓ３０４）。これにより、編集前のセクションの内容に戻ることになる。
【００７７】
そして、編集後一覧画面５６０で「確認終了ボタン」５６１のクリックを受け付けると、編集内容確認担当者の確認が終了したとして、確認を受けた編集後マニュアル１４０をレビジョン確定マニュアル１６０として出力する（Ｓ３０５）。
【００７８】
以上の編集処理、編集内容確認処理は複数回繰り返すことができ、その都度レビジョンが更新されることになる。
【図面の簡単な説明】
【００７９】
【図１】本実施形態のマニュアル作成の基本的な概念を示す図。
【図２】ベーステキストの構成の一例を示す図。
【図３】マニュアル作成システムの構成を示すブロック図。
【図４】マニュアル作成管理装置の機能構成を説明するためのブロック図。
【図５】編集装置の機能構成を説明するためのブロック図。
【図６】編集内容確認装置の機能構成を説明するためのブロック図。
【図７】マニュアル作成管理装置がマニュアル雛形を生成する処理を示すフロー図。
【図８】編集装置が、マニュアル雛形の編集を受け付ける処理を示すフロー図。
【図９】編集内容確認装置が、編集された個所の確認を受け付ける処理を示すフロー図。
【図１０】ロック設定画面の一例を示す図。
【図１１】編集画面の一例を示す図。
【図１２】編集後一覧画面の一例を示す図。
【図１３】モデルの変遷と従来のマニュアル作成とについて説明する図。
【符号の説明】
【００８０】
１０…マニュアル作成管理装置、１１…ベーステキスト入力部、１２…ユーザインタフェース部、１３…セクション抽出部、１４…ロック処理部、１５…マニュアル雛形出力部、２０…編集装置、２１…マニュアル雛形入力部、２２…ユーザインタフェース部、２３…編集処理部、２４…編集後マニュアル出力部、３０…編集内容確認装置、３１…マニュアル雛形入力部、３２…編集後マニュアル入力部、３３…ユーザインタフェース部、３４…確認処理部、３５…レビジョン確定マニュアル出力部、１００…ベーステキスト、１１０…セクション、１２０…マニュアル雛形、１４０…編集後マニュアル、１６０…レビジョン確定マニュア
【図１】
2006251966.tif 000003
【図２】
2006251966.tif 000004
【図３】
2006251966.tif 000005
【図４】
2006251966.tif 000006
【図５】
2006251966.tif 000007
【図６】
2006251966.tif 000008
【図７】
2006251966.tif 000009
【図８】
2006251966.tif 000010
【図９】
2006251966.tif 000011
【図１０】
2006251966.tif 000012
【図１１】
2006251966.tif 000013
【図１２】
2006251966.tif 000014
【図１３】
2006251966.tif 000015